(57)【要約】【課題】  二つ折れ型携帯通信機器の内部に収納されるアンテナ素子１０は、ヒンジ軸に装着されるＬＣＤ保持フレームが金属性材料で構成されていることから、アンテナ特性を維持する目的でヒンジ部５から離れた位置に設置していた。このため、外形寸法が大きくなっていた。【解決手段】  ＬＣＤ表示器２の外周を保持する金属性材料からなるＬＣＤ保持フレーム７の端部に取り付け部７ａを設ける一方、一端がヒンジ軸に一体に設けられ、他端が上記ＬＣＤ保持フレーム７の取り付け部７ａに取り付けられた連結部材９を樹脂材料で構成し、ヒンジ部５近傍から金属性材料を排除した。これにより、アンテナ素子１０をヒンジ部５に近接して設置可能になり、小型化が図れる。【選択図】          図２
2005323242.tif 000002
【特許請求の範囲】
【請求項１】
電子機器及び一端側にアンテナ素子を収納する第１筐体、
電子機器及び画像を表示する表示器を収納する第２筐体、
この第２筐体の一端側及び上記第１筐体の一端側に取り付けられ、上記第１及び第２筐体を開閉動作可能に連結するヒンジ、
金属性材料からなり、上記第２筐体に収納された上記表示器の外周を保持するフレーム、
このフレームの上記第２筐体における一端側に設けられた取り付け部、
一端側が上記ヒンジを構成する部材と一体に設けられ、開閉動作にともない上記ヒンジの軸心を中心に回転するとともに、他端側が上記取り付け部に取り付けられた樹脂材料からなる連結部材を備えたことを特徴とする携帯通信機器。
【請求項２】
表示器は、液晶表示器であることを特徴とする請求項１記載の携帯通信機器。
【請求項３】
連結部材は、樹脂材料にガラス繊維を含有させてなることを特徴とする請求項１記載の携帯通信機器。
【請求項４】
アンテナ素子は、ヒンジ近傍に設けられていることを特徴とする請求項１記載の携帯通信機器。
【発明の詳細な説明】
【技術分野】
【０００１】
本発明は、携帯電話機等の携帯通信機器に関するものであり、特にアンテナ素子を内蔵した二つ折れ型の携帯通信機器に関するものである。
【背景技術】
【０００２】
携帯通信機機としての携帯電話機は、ユーザの多用なニーズにこたえ、フリップタイプやスライドタイプ等、種々のタイプが提案されてきたが、比較的大きな表示画面を設計できることから、近年では二つ折れ型が主流になってきた。
【０００３】
一方、通信機機とし使用される携帯電話機は通信に必須のアンテナ素子が設けられており、従来では筐体内部から引き出し、或いは筐体内部に収納されるホイップアンテナが主流であったが、この引き出し型のホイップアンテナは、収納時でも一端部が筐体から突出することからポケットに収納時、持ち運び時に邪魔になっていた。
【０００４】
そこで、特許文献１に記載されているように、アンテナ素子を筐体内部に収納した二つ折れ型の携帯電話機が提案されている。しかして、アンテナ素子の特性は通話に大きく影響を与えるものであるが、筐体内には種々の部品が高密度に実装されているため、周囲の部品の影響を考慮し、かつ、アンテナ特性を確保することが困難であった。特許文献１に係る二つ折れ型携帯電話機では、アンテナ素子を周囲部品の影響を受けにくい操作側筐体のヒンジ側端部のヒンジ近傍に設けることにより、安定した通話特性が得られる二つ折れ型携帯電話機を提案している。
【０００５】
【特許文献１】ＷＯ  ０２／０５４５３２
【発明の開示】
【発明が解決しようとする課題】
【０００６】
ところで、二つ折れ型携帯電話機は、一方の筐体を操作キーが配された操作側筐体とし、他方の筐体をＬＣＤ等の表示器を配した表示側筐体としている。そして、表示側筐体は、表示器の外周を保持するフレームをヒンジ方向へ延出させてヒンジ軸に装着固定することにより、操作側筐体と開閉可能に連結されている。また、表示器を保持するフレームは、該表示器が外部からの衝撃により破損するのを防ぐ目的から強固な強度が要求される部材であり、一般にマグネシュウムなどの金属性材料で構成されている。
【０００７】
したがって、ヒンジ部近傍に配置されたアンテナ素子は金属性のフレームにも近接配置されることになり、アンテナ素子から出射、あるいはアンテナ素子に入射する電波により、フレームに電流が誘起されてアンテナ特性を劣化させてしまう。アンテナ素子とフレームの位置関係が一定であるなら、アンテナ整合回路で整合をとることによりアンテナ特性を改善することも可能であるが、上述のようにフレームはヒンジ軸に装着固定されヒンジの開閉動作にともない回転することからアンテナ整合回路で整合をとることも困難であった。
【０００８】
それゆえ、アンテナ素子がフレームによる上述の影響を受けないようにするため、操作側筐体をヒンジ部より突出させフレームから離れた突出部にアンテナ素子を配置させたり、操作側筐体の厚みを大きくして、フレームから離れた底部にアンテナ素子を配置させることにより、アンテナ特性を維持させている。
【０００９】
したがって、従来の二つ折れ型携帯電話機等の携帯通信機器は、折り畳んだ状態での長さ寸法が長くなったり、厚みが大きくなり、小型化できない問題点があった。
【００１０】
本発明は、上述の課題に鑑みてなされたものであり、アンテナ素子の特性を劣化させることなく、小型化が可能な携帯通信機器を得ることを目的としている。
【課題を解決するための手段】
【００１１】
本発明に係る携帯通信機器は、電子機器及び一端側にアンテナ素子を収納する第１筐体、電子機器及び画像を表示する表示器を収納する第２筐体、この第２筐体の一端側及び上記第１筐体の一端側に取り付けられ、上記第１及び第２筐体を開閉動作可能に連結するヒンジ、金属性材料からなり、上記第２筐体に収納された上記表示器の外周を保持するフレーム、このフレームの上記第２筐体における一端側に設けられた取り付け部、一端側が上記ヒンジを構成する部材と一体に設けられ、開閉動作にともない上記ヒンジの軸心を中心に回転するとともに、他端側が上記取り付け部に取り付けられた樹脂材料からなる連結部材から構成したものである。
【発明の効果】
【００１２】
本発明によれば、一端側がヒンジを構成する部材と一体に設けられ、他端側が表示器の外周を保持するフレームに取り付けられた連結部材を樹脂材料で構成したので、アンテナ素子をヒンジに近接して配置することが可能になり、携帯通信機器の長さ寸法及び厚みを小さくでき小型化を図ることができる効果がある。
【発明を実施するための最良の形態】
【００１３】
以下、本発明の実施の形態について、図面を参照して詳述する。
【００１４】
図１は、本発明の携帯通信端末としての二つ折れ型携帯電話機の斜視図であり、１はフロントケース１１及びリアケース１２からなり、内部に電子機器及びＬＣＤ表示器２を収納した表示側筐体、３はフロントケース３１及びリアケース３２からなり、フロントケース３２側にテンキー及び機能キーからなる操作キー４が配列された操作側筐体であり、内部に電子機器及びアンテナ素子を収納している。表示側筐体１及び操作側筐体３はヒンジ部５で開閉可能に連結されており、図示のように所定の開角度（約１６０°）で開かれた状態で位置保持されるとともに、表示側筐体１及び操作側筐体３それぞれのフロントケース１１、３１同士が合わさるように折り畳まれた閉状態で位置保持される。操作側筐体３に収納されたアンテナ素子は後述するように、ヒンジ部側端部に収納されている。
【００１５】
図２は表示側筐体１の構成を示す分解構成図であり、フロントケース１１表面側には表示窓６が両面テープ等の接着手段で接着される。フロントケース１１及びリアケース１２が合わさった表示側筐体１内にはＬＣＤ表示器２及びこのＬＣＤ表示器２の外周を囲んで保持するＬＣＤ保持フレーム７が収納される。ＬＣＤ表示器２はガラスパネルを用いて構成されるものであり、外力を受けるとひび割れや、破損しやすい部品である。しかも、携帯電話機は、ユーザが片手で操作したり、安易にポケットに入れたりすることから落下させてしまうことが偶発するものであり、落下による外力でＬＣＤ表示器２が破損する可能性が高いものである。そこで、ＬＣＤ保持フレーム７は、落下によってもＬＣＤ表示器２が破損しないように強固な材料で構成する必要があり、通常、マグネシューム等の金属性材料が採用される。
【００１６】
ＬＣＤ表示器２を保持するＬＣＤ保持フレーム７のヒンジ部側の端部にはねじ８が貫通する通し孔が設けられており、該通し穴が設けられた箇所に連結部材９の一端を挿入する取り付け部７ａが設けられている。連結部材９の他方の端部には後述するヒンジのヒンジ軸が挿入されるヒンジ受け入れ穴９ａが設けられ、かつ、ＬＣＤ保持フレーム７の取り付け部７ａに挿入される側の端部にはねじ８が貫通する通し孔が設けられている。
【００１７】
連結部材９は、アンテナ素子が近傍に配置されるヒンジに取り付けられるものであるため、アンテナ素子のアンテナ特性を劣化させないように樹脂材料からなっている。具体的には、ＰＰＳ（Ｐｏｌｙｐｈｅｎｙｌｅｎｅ  Ｓｕｌｆｉｄｅ）樹脂であり、強度を高めるためにガラス繊維を４０％含有させている。
【００１８】
次に、表示側筐体１の組み付け手順について、図２及び図３を用いて説明する。
【００１９】
まず、ＬＣＤ保持フレーム７にＬＣＤ表示器２を装着するとともに、連結部材９をＬＣＤ保持フレーム７の取り付け部７ａに図３の矢印で示すように挿入する。そして、表示窓６を表面に接着したフロントケース１１とリアケース１２の間にＬＣＤ表示器２及び連結部材９を装着したＬＣＤ保持フレーム７介在させ、図２に示すようにねじ８をフロントケース１１表面側から挿入し、連結部材９及びＬＣＤ保持フレーム７の通し孔を通してリアケース１２の内面に植設したねじボス（図示せず）にねじ込む。なお、図２に示すようにフロントケース１１とリアケース１２のねじ８による組み付けはヒンジ側端部のみであるが、他端側は、フロントケース１１に設けた爪（図示せず）とリアケース１２に設けた凹部（図示せず）との係合により組み付けられる。
【００２０】
図４は、二つ折れ型携帯電話機を閉じた状態の断面図であり、図４（ａ）は本発明に係る携帯電話機、図４（ｂ）は従来の携帯電話機を示す。図４において、１０は操作側筐体３のヒンジ部５側端部に収納されたアンテナ素子、７１はマグネシュームで構成された従来のＬＣＤ保持フレームである。
【００２１】
図４から明らかなように、従来の携帯電話機におけるアンテナ素子１０は、アンテナ特性を維持するために、ＬＣＤ保持フレーム７１のヒンジ側端部からできるだけ離して設置されている。このため、操作側筐体３のヒンジ部５側端部を長手方向に突出させ、かつ、操作側筐体３自体の厚みを大きくしており、長さ寸法及び厚みが大きくなっている。これに対して、本発明に係る携帯電話機は、連結部材９を樹脂材料としているので、アンテナ素子１０をヒンジ部５近傍に設置することが可能であり、長さ寸法及び厚みを小さくでき、小型化されている。
【図面の簡単な説明】
【００２２】
【図１】本発明に係る二つ折れ型携帯電話機の外観を示す斜視図である。
【図２】本発明に係る表示側筐体の組付け状態を説明するための分解図である。
【図３】本発明に係るＬＣＤ保持フレームと連結部材との組付け状態を説明するための分解図である。
【図４】二つ折れ型携帯電話機を閉じた状態の断面図である。
【符号の説明】
【００２３】
１  表示側筐体、    ２  ＬＣＤ表示器、    ３  操作側筐体、    ５  ヒンジ部、    ７  ＬＣＤ保持フレーム、    ９  連結部材。
【図１】
2005323242.tif 000003
【図２】
2005323242.tif 000004
【図３】
2005323242.tif 000005
【図４】
2005323242.tif 000006